(57)【要約】【課題】フォークから車輪をいちいち取り外さなくても、非接触型の発電装置が簡単確実に装着でき、車輪の直径が小さな自転車でも、問題なく組み付けられる自転車の照明装置を提供する。【解決手段】非接触式の発電装置と、発電装置から供給の電気によって発光する照明器Ｌとを備えている。発電装置は、自転車の車軸まわりに配置される円形状のマグネットリング２と、自転車のフレームに固定されて、マグネットリング２の回転平面と対向する誘導コイル３と、マグネットリング２をスポーク４に固定するための取付リング５とを含む。マグネットリング２は、円周方向に二分割されて、それぞれにヨーク材６および一群の磁石７が封入された二つの半割り容器９・９と、半割り容器９・９の周方向の端部どうしを連結合する連結手段とを有する。スポーク４をはさんで対向状に配置した取付リング５とマグネットリング２とを締結することにより、スポーク４にマグネットリング２が着脱自在に固定できる。【選択図】図１
2005343231.tif 000002
【特許請求の範囲】
【請求項１】
非接触式の発電装置と、発電装置から供給の電気によって発光する照明器Ｌとを備えた自転車の照明装置であって、
発電装置が、自転車の車軸まわりに配置される円形状のマグネットリング２と、自転車のフレームに固定されて、マグネットリング２の回転平面と対向する誘導コイル３と、マグネットリング２をスポーク４に固定するための取付リング５とを含み、
マグネットリング２が、円周方向に二分割されて、それぞれにヨーク材６および一群の磁石７が封入された二つの半割り容器９・９と、半割り容器９・９の周方向の端部どうしを連結合する連結手段とを有しており、
スポーク４をはさんで対向状に配置した取付リング５とマグネットリング２とを締結することにより、スポーク４にマグネットリング２が着脱自在に固定できるようにしたことを特徴とする自転車の照明装置。
【請求項２】
半割り容器９・９どうしを連結合する結合手段が、半割り容器９・９の周方向の端部に突出形成された連結片２３・２５を含み、
半割り容器９・９どうしが、両連結片２３・２５で結合されている請求項１記載の自転車の照明装置。
【請求項３】
各半割り容器９は、底壁１２の内外に内周壁１３と外周壁１５とが対向状に連設され、底壁１２の周方向の両端に端壁１６・１６が連設されて一側面のみが開口するプラスチック製の容器本体１０と、この容器本体１０の開口面を密閉する蓋１１とを含み、
平板状に形成されたヨーク材６は、容器本体１０内にこれの底壁１２の内面に添うよう嵌め込まれており、
容器本体１０の内周壁１３と外周壁１５との対向面に、縦溝２１・２１がそれぞれ周方向に適当間隔を置いて形成されており、
容器本体１０内において各磁石７は、これの内外端を前記縦溝２１・２１に嵌合してヨーク材６上に位置決め装着されている請求項１記載の自転車の照明装置。
【請求項４】
容器本体１０の端壁１６・１６に、前後互い違いになるように外向き水平状の連結片２３・２５が一体に突出形成されており、
各半割り容器９を構成する一対の容器本体１０・１０が、同一の半円形状に形成されており、
両半割り容器９・９どうしが、前記連結片２３・２５の接合面２３ａ・２５ａどうしを接合した状態で連結合されている請求項３記載の自転車の照明装置。
【請求項５】
容器本体１０の底壁１２には、周方向に適当間隔を置いて締結孔１７が設けられており、
底壁１２の内面に、各締結孔１７に通じる盲筒１９が一体に突設されており、
取付リング５に、ねじ挿通孔２９が周方向に適当間隔を置いて設けられており、
取付リング５の外側からねじ３０をねじ挿通孔２９ついで前記締結孔１７にねじ込むことにより、スポーク４にマグネットリング２が締結固定される請求項３または４記載の自転車の照明装置。
【請求項６】
半円形状のヨーク材６に、容器本体１０側の盲筒１９に嵌合する抜き孔２０が形成されている請求項５記載の自転車の照明装置。
【請求項７】
照明器Ｌは、ランプケース３１と、これに収容された高輝度ＬＥＤ３２とを含み、ランプケース３１がブラケット３９を介してフォーク３７に支持されており、
照明器Ｌに、誘導コイル３が支持されている請求項１記載の自転車の照明装置。
【請求項８】
照明器Ｌの下方に、誘導コイル３がマグネットリング２と非接触で対向した状態において車軸と平行な軸まわりに姿勢変更可能に支持されている請求項７記載の自転車の照明装置。
【発明の詳細な説明】
【技術分野】
【０００１】
本発明は、非接触式の発電装置と、これから供給される電気によって発光する照明器とを備えた自転車の照明装置に関し、発電装置として車輪の車軸まわりに多数個の磁石ユニットを回転自在に配置した形式である。
【背景技術】
【０００２】
特許文献１には、車輪の車軸まわりに多数個の磁石を備えた円盤状の回転子と、回転子の外面に対向配置された円盤状の固定子とで構成された発電装置が開示されている。特許文献２には、多極着磁磁石を車軸まわりに固定した発電装置が開示されている。特許文献３の自転車用発光装置は、ランプにＬＥＤを使用している。
【０００３】
【特許文献１】特開平４−７８６７７号公報（明細書第２頁下段左欄、第５図）
【特許文献２】特開平９−３１２９６０号公報（段落番号００１７、図１）
【特許文献３】実開平７−３５２７８号公報（段落番号０００７）
【発明の開示】
【発明が解決しようとする課題】
【０００４】
特許文献１、２のように、車軸まわりに回転子を配するタイプの発電装置であれば、たとえば、複数個の磁石を車輪のリム寄りに配置するタイプに比べて、磁石を地面から離れた位置にセットできるので、鉄くずなどの異物の吸着を抑止できる。
【０００５】
しかし、回転子が円盤状に形成されていると、回転子を装着する場合、フォークから車輪を取り外す必要があり、これに手間が掛かる。車輪の直径が小さい場合、発電装置を組み付ける場所がなくて適用できないことがある。
【０００６】
本発明の目的は、マグネットリングを二つ割りにすることによって、フォークから車輪をいちいち取り外さなくても、スポークにマグネットリングが簡単確実に装着できる自転車の照明装置を提供することにある。本発明の目的は、車輪の直径が小さな自転車でも、見た目に好ましく、問題なく組み付けられる非接触型の発電装置を備えた自転車の照明装置を提供することにある。本発明の目的は、耐久性に優れ、長期の使用でも機能を損なうことのない自転車の発電装置を提供するにある。本発明の目的は、製造コストを抑えることができる自転車の照明装置を提供するにある。
【課題を解決するための手段】
【０００７】
本発明の請求項１に係る自転車の照明装置は、非接触式の発電装置と、発電装置から供給の電気によって発光する照明器Ｌとを備えている。その発電装置は、自転車の車軸まわりに配置される円形状のマグネットリング２と、自転車のフレームに固定されて、マグネットリング２の回転平面と対向する誘導コイル３と、マグネットリング２をスポーク４に固定するための取付リング５とを含む。このうち、マグネットリング２は、円周方向に二分割されて、それぞれにヨーク材６および一群の磁石７が封入された二つの半割り容器９・９と、半割り容器９・９の周方向の端部どうしを連結合する連結手段とを有しており、スポーク４をはさんで対向状に配置した取付リング５とマグネットリング２とを締結することにより、スポーク４にマグネットリング２が着脱自在に固定できるようにしたことを特徴とする。ここでの半割り容器９・９は、正しく半円形に二つ割りされていることを要しない。
【０００８】
請求項２記載の本発明は、半割り容器９・９どうしを連結合する結合手段として、図１および図５に示すごとく半割り容器９・９の周方向の端部に突出形成された連結片２３・２５を含み、半割り容器９・９どうしが、両連結片２３・２５で結合されるようになっている。
【０００９】
請求項３記載の本発明では、各半割り容器９が、図３に示すごとく底壁１２の内外に内周壁１３と外周壁１５とが対向状に連設され、底壁１２の周方向の両端に端壁１６・１６が連設されて一側面のみが開口するプラスチック製の容器本体１０と、この容器本体１０の開口面を密閉する蓋１１とを含み、平板状に形成されたヨーク材６は、容器本体１０内にこれの底壁１２の内面に添うよう嵌め込まれており、容器本体１０の内周壁１３と外周壁１５との対向面に、縦溝２１・２１がそれぞれ周方向に適当間隔を置いて形成されており、容器本体１０内において各磁石７は、図４に示すごとくこれの内外端を縦溝２１・２１に嵌合してヨーク材６上に位置決め装着されている。ここでのヨーク材６は数枚に分割されて容器本体１０内に円形状に配される形態を含む。縦溝２１は、これの左右に縦リブを設けて形成したものでもよい。
【００１０】
請求項４記載の本発明では、容器本体１０の端壁１６・１６に、図３に示すごとく前後互い違いになるように外向き水平状の連結片２３・２５が一体に突出形成されており、各半割り容器９を構成する一対の容器本体１０・１０が、同一の半円形状に形成されており、両半割り容器９・９どうしが、前記連結片２３・２５の接合面２３ａ・２５ａどうしを接合した状態で連結合されている。
【００１１】
請求項５記載の本発明では、容器本体１０の底壁１２に、図６に示すごとく周方向に適当間隔を置いて締結孔１７が設けられており、底壁１２の内面に、図３に示すごとく各締結孔１７に通じる盲筒１９が一体に突設されており、取付リング５に、ねじ挿通孔２９が周方向に適当間隔を置いて設けられており、取付リング５の外側からねじ３０をねじ挿通孔２９ついで前記締結孔１７にねじ込むことにより、図６に示すごとくスポーク４にマグネットリング２が締結固定される。この場合のねじ３０の先端は盲筒１９内に突入する。ここでは、締結孔１７がねじ孔になっていることを予測しているが、これが挿通孔になっていて盲筒１９に内ねじ孔が形成されていてもよいし、締結孔１７がインサート成形されたナット部材で形成されていてもよい。
【００１２】
請求項６記載の本発明では、ヨーク材６を半円形状とするとき、これには図３に示すごとく容器本体１０側の盲筒１９に嵌合する抜き孔２０を形成することになる。
【００１３】
請求項７記載の本発明に係る照明器Ｌは、図７に示すごとくランプケース３１と、これに収容された高輝度ＬＥＤ３２とを含み、ランプケース３１がブラケット３９を介してフォーク３７に支持されており、照明器Ｌに誘導コイル３が支持されている。
【００１４】
そのうえで、請求項８記載の本発明では、照明器Ｌの下方に、誘導コイル３がマグネットリング２と非接触で対向した状態において車軸と平行な軸まわりに姿勢変更可能に支持されるようになっている。
【発明の効果】
【００１５】
請求項１記載の本発明では、円形状のマグネットリング２を、円周方向に二分割して、その半割り容器９・９を車輪の車軸まわりで連結して組み立てるようにした。したがって、車輪をフォーク３７から取り外すまでもなく、マグネットリング２は車輪の車軸まわりにおいてスポーク４に簡単かつ確実に装着できる。
【００１６】
マグネットリング２は、車軸まわりに配するので、実用化されている殆どの自転車に対して問題なく組み付けることができる。スポーク４をはさんで対向状に配置した取付リング５とマグネットリング２とを締結することによって、スポーク４にマグネットリング２を固定するので、車輪の直径寸法だけでなくスポーク４の本数や配置が異なる場合でも、マグネットリング２を確実に装着でき、それだけ発電装置の汎用性が向上する。
【００１７】
請求項２記載の本発明によれば、各半割り容器９には予めヨーク材６および一群の磁石７が封入済みであるから、半割り容器９・９どうしをこれらの周方向端部に設けた連結片２３・２５で連結合するだけで部品がバラけることなくマグネットリング２を車輪の車軸上で組み立てることができる。
【００１８】
請求項３記載の本発明によれば、一側面のみが開口する容器本体１０内にヨーク材６ついで磁石７を装着したのち、容器本体１０の開口面を蓋１１で密閉してあるので、雨水や塵埃がマグネットリング２内に侵入するのを確実に防止できる。とくに、容器本体１０の内外周壁１３・１５に設けた縦溝２１・２１に各磁石７の径方向端部を嵌合してあるので、一群の磁石７を蓋１１で押さえ保持できることと相まって、ヨーク材６および磁石７をガタつきなく適正位置に位置決め保持しておける。
【００１９】
請求項４記載の本発明によれば、各半割り容器９を構成する容器本体１０が両端の連結片２３・２５を含めて同一の半円形状に形成されているので、容器本体１０を安価にプラスチック成形できる。
【００２０】
請求項５記載の本発明によれば、車輪のスポーク４にマグネットリング２を固定するために、容器本体１０の底壁１２の締結孔１７を利用してねじ３０をねじ込んだとき、このねじ３０の先端は盲筒１９に入る。しかるに、締結孔１７を介して雨水が内部に侵入しても盲筒１９で受けられて容器本体１０内には入らない。したがって、ヨーク材６や磁石７の錆びつきを防止でき、マグネットリング２の耐久性が向上する。
【００２１】
請求項６記載の本発明によれば、ヨーク材６が半円形の平板状にした１枚ものに形成してあっても、ヨーク材６に設けた抜き孔２０を前記盲筒１９に嵌合することにより、容器本体１０内にヨーク材６を簡単に組み付け装着できる。
【００２２】
請求項７記載の本発明によれば、ブラケット３９を介してフォーク３７に装着した照明器Ｌに、誘導コイル３が支持されているので、装置全体をコンパクト化でき、車輪の直径が小さな自転車に装着しても、見た目の印象を損なわない。誘導コイル３と照明器Ｌとの間の配線距離が短く済む分だけ、部材コストを少なくできる点でも有利である。配線を引っ掛けて断線するおそれもない。
【００２３】
請求項８記載の本発明によれば、照明器Ｌの下方に支持した誘導コイル３は、車軸と平行な軸まわりに姿勢を変更調整できるようにしたので、車輪に装着したマグネットリング２に対して誘導コイル３の傾きを微調整でき、より効率的な発電を期待できる。
【発明を実施するための最良の形態】
【００２４】
図２において、本発明に係る自転車の照明装置は、自転車の前輪１に組み付けられる非接触式の発電装置と、発電装置から供給の電気によって発光する照明器Ｌとからなる。
【００２５】
発電装置は、自転車の前輪１における車軸まわりに配置される実質的に円形状のマグネットリング２と、自転車フレームに固定されてマグネットリング２の回転平面と対向する誘導コイル３と、マグネットリング２を前輪１のスポーク４に固定するための取付リング５とを含む。図２に示す自転車の前輪１のサイズは１０インチであり、車軸とリムとの間隔が小さいため、そこには通常の車輪接触式のダイナモ式発電装置は装着し難い事情がある。
【００２６】
図１および図３においてマグネットリング２は、ヨーク材６と多数の磁石７とを内蔵しており、円周方向に二分割された半割り容器９・９で構成されている。
【００２７】
二つの半割り容器９・９は、それぞれが半円形の同一形状に形成されており、前後の位置関係で一側面（前面という）のみが開口するプラスチック製の容器本体１０と、容器本体１０の開口前面を密閉する蓋１１とからなる。
【００２８】
容器本体１０は、平坦状の底壁１２の内外に内周壁１３と外周壁１５とを対向状に連設し、底壁１２の周方向の両端に端壁１６・１６が連設されている。
【００２９】
容器本体１０の底壁１２には、周方向に適当間隔を置いて図では４個の締結孔１７が内外貫通状に設けられており、底壁１２の内面において各締結孔１７に通じる盲筒１９が一体に突設されている。盲筒１９は、底壁１２につながる円形の筒壁と筒壁の内側突端を塞ぐ盲壁とを有する。
【００３０】
各半割り容器９の容器本体１０には、これの開口前面側から鉄板製のヨーク材６ついで多数の磁石７が組み込まれる。
【００３１】
ヨーク材６は、半円形の平板状に打ち抜き形成され、その周方向の４箇所に抜き孔２０を有し、各抜き孔２０を前記盲筒１９に嵌合することにより、容器本体１０の開口前面から底壁１２の内面に添うよう容器本体１０内に落とし込み装着される。
【００３２】
磁石７には、角柱形状に形成したネオジウム磁石を用い、ひとつの半割り容器９に図示例では９個の磁石７が周方向に間隔を置いて組み込まれる。そのために、容器本体１０の内周壁１３と外周壁１５との対向面には、縦溝２１を原則的には周方向に等間隔を置いて内外対向状に凹み形成してある。これによれば、容器本体１０に対し、これの開口前面から前記盲筒１９を避けながら各磁石７の内外端を一対の前記縦溝２１・２１に嵌合するよう落とし込み装着すると、容器本体１０内のヨーク材６上に磁石７群をガタ付きなく周方向に並べて組み込める。
【００３３】
一群の各磁石７は、厚み方向の前後両端をＮ極とＳ極とに着磁して、隣接する磁石７・７どうしではＮ極とＳ極とが逆になるよう配してあり、容器本体１０の前面側に限って磁束密度の高い磁界を形成する。
【００３４】
容器本体１０の開口前面を閉じる蓋１１は、半円形状に形成されたプラスチック製の成形品である。容器本体１０の開口内周縁には、受け面を段付き状に設けてある。蓋１１は容器本体１０の開口前面に内嵌して、その外周縁部を前記受け面で受け止める。図示例では、容器本体１０の前記受け面に蓋１１の外周縁部を接着剤で密封状に接着固定したが、ねじ止めしてもよい。これにより、容器本体１０内にヨーク材６および各磁石７を蓋１１で押さえ込んだ状態で封入した半割り容器９を得た。
【００３５】
蓋１１は、オレンジ色などの有色透明のプラスチック材で成形し、その内面に光反射部２２を形成した。この光反射部２２としては、例えば、四角錐状の反射要素を内面全体に形成し、後フェンダーに装着されるリフレクターと同様の光反射作用を発揮するようにした。なお、光反射部２２は、蓋１１の中央部などに部分的に形成されていてもよい。
【００３６】
二つの半割り容器９・９は、これの周方向の両端どうしを結合手段で連結することにより、ひとつの円形のマグネットリング２に組み立てることができる。
【００３７】
そのための結合手段として、半割り容器９の周方向の両端、具体的には容器本体１０の端壁１６・１６には、前後互い違いになるように外向き水平状の連結片２３・２５を一体に突出形成した。すなわち、一方（図３の右側）の端壁１６の前端（図３において上端）には、後ろ向き（図の下向き）の接合面２３ａを有する連結片２３が、他方の端壁１６の後端（図３において下端）には、前向き（図の上向き）の接合面２５ａを有する連結片２５がそれぞれ相欠き状に形成されている。両連結片２３・２５のうち、一方の連結片２３には係合孔２６を設け、他方の連結片２５には、その接合面２５ａに係合突起２７を設けた。ここでは、ひとつの金型で左右一組の容器本体１０をプラスチック成形できるところが注目されるべきである。
【００３８】
しかるときは、一方の半割り容器９の連結片２３と、他方の半割り容器９の連結片２５とを、両者の接合面２３ａ・２５ａどうしが面接合するように重ね合わせ、係合突起２７を係合孔２６に抜け止め状に圧入嵌合することにより、半割り容器９・９どうしを不離一体に結合し、ひとつのマグネットリング２に組み上げることができる。
【００３９】
すなわち、図示例の結合手段は、連結片２３・２５、係合孔２６および係合突起２７で構成されている。尤も、両連結片２３・２５どうしはネジ止めする形式でもよい。連結片２３・２５も一方は二股状に、他方はそれに嵌合する平板形状にするなどの変更が可能である。
【００４０】
ひとつのマグネットリング２を前輪１に取り付けるために、左右一組の取付リング５・５を備えている。各取付リング５は、図５に示すごとく各半割り容器９の形状に対応する同一の半円形状にアルミ板材を打ち抜いて形成してあり、周方向に適当間隔を置いて４個のねじ挿通孔２９が貫通状に形成されている。
【００４１】
前輪１にマグネットリング２を装着するに際しては、前輪１のスポーク４の前側において、前輪１の車軸をはさんでこれの両側から一対の半割り容器９・９を前述の要領で結合し、前輪１の車軸まわりに円形状のマグネットリング２を組み立てる。次に、スポーク４の後ろ側に一対の取付リング５・５をこれがマグネットリング２と対向するよう配し、各取付リング５の外側からこれのねじ挿通孔２９にねじ３０を挿通して、該ねじ３０をマグネットリング２側の前記締結孔１７にねじ込むことにより、スポーク４にマグネットリング２を締結固定する。このとき、各取付リング５の中央部分がマグネットリング２の半割り容器９・９の結合箇所を跨ぐようにする。
【００４２】
図示例では、締結孔１７をねじ孔にして、前記ねじ３０の先端が盲筒１９内に入り込むようにしたので、雨水や塵埃が蓋１１で密封された容器本体１０内、つまりマグネットリング２の内部に侵入する余地はない。
【００４３】
図７において照明器Ｌは、プラスチック製のランプケース３１と、ランプケース３１の前面の光源室に収容される１個の高輝度ＬＥＤ３２と、光源室の開口面を覆う透明のプラスチック製のカバー３３と、整流回路を含む制御回路３５と、ランプケース３１の基部から一体に突出された支持腕３６とを含む。制御回路３５は、誘導コイル３で発電された電流を整流して電圧調整した後、ＬＥＤ３２に供給する。
【００４４】
照明器Ｌは、自転車の前輪１側のフォーク３７にブラケット３９を介して支持する。すなわち、フォーク３７には、図８に示すごとくこれを抱持する状態で一対のブラケット部材３９ａ・３９ａをボルト４０で着脱自在に取り付け、このブラケット３９に照明器Ｌを前記支持腕３６を介してを上下方向に傾動調整可能に支持する。
【００４５】
図８において照明器Ｌの支持腕３６は、ブラケット３９に枢軸４１を介して枢結し、照明器Ｌは枢軸４１まわりに回動操作することにより任意の照明角度に調整できる。ブラケット３９と支持腕３６とには、一方に止め軸４２を、他方に止め軸４２が嵌合する逃げ孔４３をそれぞれ設け、ボルトからなる止め軸４２を締め付けることにより、照明器Ｌの全体を所定の照明角度に維持できる。
【００４６】
誘導コイル３は、円形状の筒壁を有するプラスチック製のコイルケース４５と、鉄芯まわりに銅線が巻装されてコイルケース４５内に封入されるコイルユニット４６とを含み、照明器Ｌの下方に支持手段を介して車軸と平行な軸心まわりに姿勢変更可能に支持されている。
【００４７】
図示例の支持手段は、図７に示すごとくランプケース３１の基部下方に、断面が半円形状に湾曲する左右一対の帯状止めバンド４７・４７を一体に延出形成し、両止めバンド４７・４７でコイルケース４５を左右方向の外側から抱持した状態で支持している。これで誘導コイル３は、マグネットリング２の前面に非接触で対向した状態において、車軸と平行な軸心まわりにコイルケース４５を直接手にして回動することにより、コイルユニット４６を適正姿勢に位置調整できる。
【００４８】
そのうえで、マクネットリング２に対して誘導コイル３を適正姿勢に位置調整した状態に固定する保持手段として、左右の各止めバンド４７・４７の下端にそれぞれ止め片４９・４９を対向状に屈曲形成してあり、両止め片４９・４９に挿通される締結ねじ５０と、これに螺合するナット５１とで、両止め片４９・４９を引き寄せて、各止めバンド４７・４７で誘導コイル３のコイルケース４５の筒壁部を締め付け固定できるようになっている。図７において、コイルケース４５の筒壁部には通口５２を明けてあり、この通口５２を介して誘導コイル３と制御回路３５とがリード線５３で接続されている。
【００４９】
（別実施例）  図示例の全容は以上のようになっているが、取付リング５は同一形状の半割り状リング部材に代えて、一部に切り欠きを設けた１枚のＣ字形リングであってもよい。
【図面の簡単な説明】
【００５０】
【図１】自転車の発電装置を示す側面図
【図２】自転車における照明装置の使用例を示す斜視図
【図３】半割り容器の分解斜視図
【図４】磁石の装着構造を示すケース内部の平面図
【図５】マグネットリングの装着構造を分解して示す斜視図
【図６】照明器および誘導コイルを示す部分断正面図
【図７】照明器および誘導コイルを示す部分断側面図
【図８】ブラケットの装着構造を示す横断面図
【符号の説明】
【００５１】
１  前輪
２  マグネットリング
３  誘導コイル
４  スポーク
５  取付リング
６  ヨーク材
７  磁石
９  半割り容器
１０  容器本体
１１  蓋
１２  容器本体の底壁
１３  容器本体の内周壁
１５  容器本体の外周壁
１６  容器本体の端壁
１７  締結孔
１９  盲筒
２１  縦溝
２３  連結片
２５  連結片
３０  ねじ
３１  ランプケース
３２  ＬＥＤ
３５  制御回路
３７  フォーク
３９  ブラケット
Ｌ  照明器
【図１】
2005343231.tif 000003
【図２】
2005343231.tif 000004
【図３】
2005343231.tif 000005
【図４】
2005343231.tif 000006
【図５】
2005343231.tif 000007
【図６】
2005343231.tif 000008
【図７】
2005343231.tif 000009
【図８】
2005343231.tif 000010